(57)【要約】【課題】複数の作業を実施可能な無線タグ通信装置を使用する場合であっても、操作者の労力負担を低減できる無線タグ通信装置及び作業管理システムを提供する。【解決手段】無線タグ回路素子Ｔｏと情報送受信を行うことにより実施される作業項目を含む複数の作業項目の中の１つの作業項目を選択的に実施可能な無線タグ通信装置１００であって、装置起動時に、起動時刻、作業者情報、及び作業場所情報からなる作動時情報を取得すると共に、複数の作業項目及び作業項目ごとの実施条件をデータベース１３０から読み出し、実施条件が作動時情報に合致する作業項目を抽出して表示部１１１で表示する。【選択図】図２
2010086249.tif 000002
【特許請求の範囲】
【請求項１】
情報を記憶するＩＣ回路部と情報を送受信可能なタグアンテナとを備えた無線タグ回路素子に対し、無線通信を行うことにより実施される作業項目を含む複数の前記作業項目の中の１つの前記作業項目を選択的に実施可能な無線タグ通信装置であって、
前記無線タグ回路素子と情報送受信を行うための通信アンテナと、
前記無線タグ通信装置の作動時における作動時情報を取得する作動時情報取得手段と、
前記作業項目及び前記作業項目ごとの実施条件が少なくとも記録されたデータベースにアクセスし、前記実施条件が前記作動時情報に合致する前記作業項目を取得する作業項目取得手段と、
前記作業項目取得手段で取得した前記作業項目を表示する表示手段と
を有することを特徴とする無線タグ通信装置。
【請求項２】
前記作動時情報取得手段は、
前記起動時刻に加え、前記操作者に関連付けられた操作者用無線タグ回路素子の前記ＩＣ回路部に記憶された操作者タグ識別情報、及び、所定の場所に関連付けられた場所用無線タグ回路素子の前記ＩＣ回路部に記憶された場所タグ識別情報のうち、少なくとも一方を、前記通信アンテナを介して前記作動時情報として取得する
ことを特徴とする請求項１記載の無線タグ通信装置。
【請求項３】
前記作業項目取得手段は、
前記作業項目に対し、前記実施条件とともに優先度情報が関連付けられて記録された前記データベースにアクセスし、前記優先度情報とともに前記作業項目を取得し、
前記表示手段は、
前記作業項目取得手段の情報取得結果に基づき、取得した複数の前記作業項目のそれぞれの前記優先度情報に応じた態様で、前記表示を行う
ことを特徴とする請求項１又は請求項２記載の無線タグ通信装置。
【請求項４】
作業対象物に設けられた対象物用無線タグ回路素子の前記ＩＣ回路部に記憶された対象物タグ識別情報を、前記通信アンテナを介して取得する対象物情報取得手段と、
前記対象物情報取得手段の動作態様について前記作業項目ごとに予め設定された１以上の動作モードのうち、１つの動作モードを設定するモード設定手段と
を有することを特徴とする請求項３記載の無線タグ通信装置。
【請求項５】
前記モード設定手段は、
前記複数の動作モードのうち、前記優先度情報の高い前記作業項目に対応した動作モードを自動設定する
ことを特徴とする請求項４記載の無線タグ通信装置。
【請求項６】
前記作動時情報取得手段は、
前記作動時情報として、電源投入後の起動時刻を装置内部または装置外部の時計手段より取得する
ことを特徴とする請求項１乃至請求項５のいずれか１項記載の無線タグ通信装置。
【請求項７】
情報を記憶するＩＣ回路部と情報を送受信可能なタグアンテナとを備えた無線タグ回路素子に対し、無線通信を行う無線タグ通信装置と、
前記無線通信を行う作業項目及び前記作業項目の実施条件が少なくとも記録されたデータベースを備えたサーバと
を有する作業管理システムであって、
前記無線タグ通信装置は、
前記無線タグ回路素子と情報送受信を行うための通信アンテナと、
前記無線タグ通信装置の作動時における作動時情報を取得する作動時情報取得手段と、
前記作動時情報取得手段で取得した前記作動時情報を前記サーバへ出力する作動時情報出力手段と
を有し、
前記サーバは、
前記無線タグ通信装置の前記作動時情報出力手段から出力された前記作動時情報に基づき前記データベースを検索し、前記データベースに記録された複数の作業項目から、前記実施条件が前記作動時情報に合致する少なくとも１つの前記作業項目を抽出する作業項目抽出手段と、
前記作業項目抽出手段で抽出した前記作業項目を前記無線タグ通信装置へ出力する作業項目出力手段と
を有し、
前記無線タグ通信装置は、
前記サーバの前記作業項目出力手段から出力された前記作業項目を取得する作業項目取得手段と、
前記作業項目取得手段で取得した前記作業項目を表示する表示手段と
を有する
ことを特徴とする作業管理システム。
【請求項８】
前記データベースは、
前記作業項目に対し、前記実施条件とともに優先度情報を関連付けて記録しており、
前記サーバの作業項目出力手段は、
前記作業項目抽出手段で抽出された、前記実施条件が前記作動時情報に合致する複数の前記作業項目を、それぞれの前記優先度情報に応じた態様で配列して出力し、
前記無線タグ通信装置の前記表示手段は、
前記サーバの作業項目出力手段からの出力に基づき、前記複数の前記作業項目を、それぞれの前記優先度情報に応じた態様の配列で表示する
ことを特徴とする請求項７記載の作業管理システム。
【発明の詳細な説明】
【技術分野】
【０００１】
本発明は、情報を記憶するＩＣ回路部と情報を送受信可能なタグアンテナとを備えた無線タグ回路素子に対し、無線通信を行う無線タグ通信装置及び作業管理システムに関する。
【背景技術】
【０００２】
近年、情報を記憶する無線タグ回路素子と無線タグ通信装置との間で非接触で情報の送受信を行うＲＦＩＤ（Ｒａｄｉｏ  Ｆｒｅｑｕｅｎｃｙ  Ｉｄｅｎｔｉｆｉｃａｔｉｏｎ）システムが様々な分野において実用化されている。このＲＦＩＤシステムを、展示会等における入退場者を管理するための入退場管理システムに適用した従来技術として、特許文献１に記載のものがある。
【０００３】
この従来技術のＲＦＩＤシステムにおいては、入場受付及び退場受付等に、各設置場所に対応する動作を実施するための無線タグ通信装置（リーダライタ）がそれぞれ設置されており、各無線タグ通信装置は、作動開始時に、作動中において実行すべき動作内容を示す動作内容情報をサーバ（ホストコントローラ）より受信し、その情報により示される内容の動作を実行する。これにより、各無線タグ通信装置に対し、その設置場所に対応した動作を行わせることができるようになっている。
【特許文献１】特開２００６−１６３６６８号公報
【発明の開示】
【発明が解決しようとする課題】
【０００４】
上述したようにＲＦＩＤシステムは様々な分野において実用化されており、例えば販売・流通等の業種においては、物品の在庫を確かめるために定期的に行われる棚卸しや、紛失した物品の探索、部品のチェック、あるいは物品の入出庫管理等、多様な作業に用いられる。このような作業場面においては、一般に、無線タグ回路素子を管理対象物品に設置しておき、その無線タグ回路素子に対し、操作者が例えば携帯型の無線タグ通信装置により情報読み取りを行うことにより、物品の管理等を行う。したがって、１台の無線タグ通信装置で、上記各作業に対応する複数の動作を実行させる必要がある。
【０００５】
このとき、上記従来技術の無線タグ通信装置では、動作内容情報を受信することにより１種類の動作を自動的に実行することが可能であるが、複数種類の動作を実行することについては考慮されていない。仮に、複数種類の動作内容情報をサーバより受信するようにしたとしても、操作者が作業を行う毎に、受信した複数の動作内容から対応する動作を手動で選択する必要が生じ、操作者の手間を要することになる。
【０００６】
本発明の目的は、複数の作業を実施可能な無線タグ通信装置を使用する場合であっても、操作者の労力負担を低減できる無線タグ通信装置及び作業管理システムを提供することにある。
【課題を解決するための手段】
【０００７】
上記目的を達成するために、第１発明の無線タグ通信装置は、情報を記憶するＩＣ回路部と情報を送受信可能なタグアンテナとを備えた無線タグ回路素子に対し、無線通信を行うことにより実施される作業項目を含む複数の前記作業項目の中の１つの前記作業項目を選択的に実施可能な無線タグ通信装置であって、前記無線タグ回路素子と情報送受信を行うための通信アンテナと、前記無線タグ通信装置の作動時における作動時情報を取得する作動時情報取得手段と、前記作業項目及び前記作業項目ごとの実施条件が少なくとも記録されたデータベースにアクセスし、前記実施条件が前記作動時情報に合致する前記作業項目を取得する作業項目取得手段と、前記作業項目取得手段で取得した前記作業項目を表示する表示手段とを有することを特徴とする。
【０００８】
本願第１発明の無線タグ通信装置は、複数の作業を選択的に実施する操作者が、各作業に対し共通に使用できるものである。すなわち、操作者が無線タグ通信装置を作動させると、作動時情報取得手段でその作動時情報が取得される。このとき、データベースに、各作業項目とその実施条件が予め記録されており、上記取得された作動時情報に対して実施条件が合致した作業項目が、作業項目取得手段によって取得される。そして、この取得された作業項目が、表示手段に表示される。
【０００９】
このようにして、操作者が無線タグ通信装置を作動させるだけで、実施すべき作業項目が表示される。これにより、複数の作業を実施可能な無線タグ通信装置を使用する場合であっても、操作者は自分が実施すべき作業項目をその都度思い出して手動操作で指定する煩わしさがなくなり、労力負担を低減できる。また、作業項目が表示されることによって、実施すべき作業を操作者がうっかり失念すること（作業忘れ）を確実に防止することができる。
【００１０】
第２発明の無線タグ通信装置は、上記第１発明において、前記作動時情報取得手段は、前記起動時刻に加え、前記操作者に関連付けられた操作者用無線タグ回路素子の前記ＩＣ回路部に記憶された操作者タグ識別情報、及び、所定の場所に関連付けられた場所用無線タグ回路素子の前記ＩＣ回路部に記憶された場所タグ識別情報のうち、少なくとも一方を、前記通信アンテナを介して前記作動時情報として取得することを特徴とする。
【００１１】
これにより、実施すべき人物（あるいは実施権限のある人物）が操作者タグ識別情報と合致する作業項目、又は、実施すべき場所が場所タグ識別情報と合致する作業項目、さらいはそれらの組合せが合致する作業項目等を、表示手段で表示することができる。したがって、いつも決まった人物が行う作業、いつも決まった場所で行う作業等、作業項目の人物依存性（人物限定）・場所依存性（場所限定）が強い場合に、特に便利である。
【００１２】
第３発明の無線タグ通信装置は、上記第１又は第２発明において、前記作業項目取得手段は、前記作業項目に対し、前記実施条件とともに優先度情報が関連付けられて記録された前記データベースにアクセスし、前記優先度情報とともに前記作業項目を取得し、前記表示手段は、前記作業項目取得手段の情報取得結果に基づき、取得した複数の前記作業項目のそれぞれの前記優先度情報に応じた態様で、前記表示を行うことを特徴とする。
【００１３】
これにより、実施条件との合致性に基づき実施すべき複数の作業項目を表示手段で表示する際に、特に操作者に対し強調して報知したいものについては優先度を高く設定しておくことで、確実に操作者に認識させることができる。
【００１４】
第４発明の無線タグ通信装置は、上記第３発明において、作業対象物に設けられた対象物用無線タグ回路素子の前記ＩＣ回路部に記憶された対象物タグ識別情報を、前記通信アンテナを介して取得する対象物情報取得手段と、前記対象物情報取得手段の動作態様について前記作業項目ごとに予め設定された１以上の動作モードのうち、１つの動作モードを設定するモード設定手段とを有することを特徴とする。
【００１５】
これにより、複数の作業を選択的に実施する操作者が各作業に対し共通に１つの無線タグ通信装置を使用する場合であっても、各作業項目に対応した動作モードに沿って適正な態様で動作させて対象物用無線タグ回路素子から読み取りを行うことができる。
【００１６】
第５発明の無線タグ通信装置は、上記第４発明において、前記モード設定手段は、前記複数の動作モードのうち、前記優先度情報の高い前記作業項目に対応した動作モードを自動設定することを特徴とする。
【００１７】
これにより、操作者が作業項目を選択しなくても自動的に動作モードが設定されるので、操作者の操作負担を低減することができる。また、作業項目を選択するためのボタン等が不要となるので、無線タグ通信装置の操作部の構成を簡略化することもできる。
【００１８】
第６発明の無線タグ通信装置は、上記第１乃至第５発明のいずれかにおいて、前記作動時情報取得手段は、前記作動時情報として、電源投入後の起動時刻を装置内部または装置外部の時計手段より取得することを特徴とする。
【００１９】
これにより、実施すべき時刻が電源投入時刻に近い作業項目を、表示手段で表示することができる。したがって、毎日決まった時刻に行う作業、毎月決まった日時に行う作業等、作業項目の時間依存性が強い場合に、特に便利である。
【００２０】
上記目的を達成するために、第７発明の作業管理システムは、情報を記憶するＩＣ回路部と情報を送受信可能なタグアンテナとを備えた無線タグ回路素子に対し、無線通信を行う無線タグ通信装置と、前記無線通信を行う作業項目及び前記作業項目の実施条件が少なくとも記録されたデータベースを備えたサーバとを有する作業管理システムであって、前記無線タグ通信装置は、前記無線タグ回路素子と情報送受信を行うための通信アンテナと、前記無線タグ通信装置の作動時における作動時情報を取得する作動時情報取得手段と、前記作動時情報取得手段で取得した前記作動時情報を前記サーバへ出力する作動時情報出力手段とを有し、前記サーバは、前記無線タグ通信装置の前記作動時情報出力手段から出力された前記作動時情報に基づき前記データベースを検索し、前記データベースに記録された複数の作業項目から、前記実施条件が前記作動時情報に合致する少なくとも１つの前記作業項目を抽出する作業項目抽出手段と、前記作業項目抽出手段で抽出した前記作業項目を前記無線タグ通信装置へ出力する作業項目出力手段とを有し、前記無線タグ通信装置は、前記サーバの前記作業項目出力手段から出力された前記作業項目を取得する作業項目取得手段と、前記作業項目取得手段で取得した前記作業項目を表示する表示手段とを有することを特徴とする。
【００２１】
本願第７発明の作業管理システムは、複数の作業を選択的に実施する操作者が、各作業に対し共通に１つの無線タグ通信装置を使用して実行するものである。すなわち、データベースに、予め各作業項目とその実施条件が予め記録されている。操作者が無線タグ通信装置を作動させると、作動時情報取得手段でその作動時情報が取得され、さらに作動時情報出力手段でサーバへ出力される。サーバは、上記出力された作動時情報をキーにしてデータベースを検索し、作業項目抽出手段が、作動時情報に対し実施条件が合致した作業項目を抽出し、作業項目出力手段がその抽出した作業項目を無線タグ通信装置へ出力する。
【００２２】
無線タグ通信装置では、上記出力された作業項目が作業項目取得手段によって取得され、この取得された作業項目が、表示手段に表示される。
【００２３】
このようにして、操作者が無線タグ通信装置を作動させるだけで、実施すべき作業項目が表示される。これにより、複数の作業を実施可能な無線タグ通信装置を使用する場合であっても、操作者は自分が実施すべき作業項目をその都度思い出して手動操作で指定する煩わしさがなくなり、労力負担を低減できる。また、作業項目が表示されることによって、実施すべき作業を操作者がうっかり失念すること（作業忘れ）を確実に防止することができる。
【００２４】
第８発明の作業管理システムは、上記第７発明において、前記データベースは、前記作業項目に対し、前記実施条件とともに優先度情報を関連付けて記録しており、前記サーバの作業項目出力手段は、前記作業項目抽出手段で抽出された、前記実施条件が前記作動時情報に合致する複数の前記作業項目を、それぞれの前記優先度情報に応じた態様で配列して出力し、前記無線タグ通信装置の前記表示手段は、前記サーバの作業項目出力手段からの出力に基づき、前記複数の前記作業項目を、それぞれの前記優先度情報に応じた態様の配列で表示することを特徴とする。
【００２５】
これにより、実施条件との合致性に基づき実施すべき複数の作業項目を無線タグ通信装置の表示手段で表示する際に、特に操作者に対し強調して報知したいものについては優先度を高く設定しておくことで、確実に操作者に認識させることができる。
【発明の効果】
【００２６】
本発明によれば、複数の作業を実施可能な無線タグ通信装置を使用する場合であっても、操作者の労力負担を低減することができる。
【発明を実施するための最良の形態】
【００２７】
以下、本発明の一実施の形態を図面を参照しつつ説明する。
【００２８】
図１は、本実施形態の無線タグ通信装置１００の全体的な外観を表す外観図であり、図１（ａ）は開閉カバー１０２を閉じた状態、図１（ｂ）は開閉カバー１０２を開いた状態を示している。
【００２９】
この図１において、無線タグ通信装置１００は、情報を記憶するＩＣ回路部１５０と情報を送受信可能なタグアンテナ１５１とを備えた無線タグ回路素子Ｔｏ（後述の図２、図５参照）に対し無線通信を行うことにより実施される作業項目（後述）を含む複数の作業項目の中の１つの作業項目を選択的に実施可能なものである。この無線タグ通信装置１００は、略直方体形状の筐体１０１と、この筐体１０１に対し開閉可能に設けられた開閉カバー１０２とを有している。
【００３０】
上記筐体１０１の上部には、上記無線タグ回路素子Ｔｏと情報送受信を行うための通信アンテナ１１０（後述の図２参照）が内蔵されている。また、筐体１０１には、液晶パネル等から構成され、各種表示を行う表示部１１１（表示手段）が設けられている。また、上記表示部１１１の下方には、複数の操作ボタン及び操作キーからなる操作入力部１２０が設けられている。この操作入力部１２０は、無線タグ通信装置１００の電源のＯＮ／ＯＦＦを行う電源ボタン１２１と、略十字形状に配置されている４つの方向キー及びそれらの中央に配置されている決定キーから構成される操作入力キー１２２と、無線タグ回路素子Ｔｏと無線通信を開始するための開始キー１２３と、無線通信を停止するための停止キー１２４と、数字キー１２５とを有している。
【００３１】
図１（ａ）に示すように、開閉カバー１０２を閉じた状態では、操作入力部１２０のうちの電源ボタン１２１、開始キー１２３、及び停止キー１２４のみが表面に露出し、図１（ｂ）に示すように、開閉カバー１０２を開くと操作入力部１２２及び数字キー１２５が新たに露出する。作業者（操作者）は、後述する作業項目の選択等の操作入力を行う際には、図１（ｂ）に示すように開閉カバー１０２を開いて操作入力キー１２２等を用いて行うようになっており、後述する作動時情報の取得を行う際や（図７参照）、作業項目選択後の各動作モードにおいて処理開始及び処理停止を実行する際には（図９等参照）、図１（ａ）に示すように開閉カバー１０２を閉じた状態か、図１（ｂ）に示すように開閉カバー１０２を閉じた状態のいずれかにおいて、開始キー１２３及び停止キー１２４を用いて行うようになっている。
【００３２】
図２は、無線タグ通信装置１００の機能構成を表す機能ブロック図である。
【００３３】
上述したように、無線タグ通信装置１００は、無線タグ回路素子Ｔｏに対し無線通信を行う。無線タグ回路素子Ｔｏは例えばラベル状の無線タグＴに備えられており、当該無線タグＴが、作業者（例えば作業者が有する名札、ＩＤカード等）、場所（建造物又は建造物の特定の部位等）、及び物品（作業対象物。例えば棚卸し対象物等）に設けられることにより、無線タグ回路素子Ｔｏが作業者、場所、及び物品にそれぞれ関連付けられる。以下、作業者に関連付けられた無線タグＴ及び無線タグ回路素子Ｔｏを無線タグＴｍ及び無線タグ回路素子Ｔｏ−ｍ（操作者用無線タグ回路素子）、場所に関連付けられたものを無線タグＴｐ及び無線タグ回路素子Ｔｏ−ｐ（場所用無線タグ回路素子）、物品に関連付けられたものを無線タグＴａ及び無線タグ回路素子Ｔｏ−ａ（対象物用無線タグ回路素子）として適宜記載する。上記無線タグ回路素子Ｔｏ−ｍ，Ｔｏ−ｐ，Ｔｏ−ａのＩＣ回路部１５０には、作業者を識別するためのタグＩＤ（操作者タグ識別情報）、場所を識別するためのタグＩＤ（場所タグ識別情報）、物品を識別するためのタグＩＤ（対象物タグ識別情報）がそれぞれ記憶されている。
【００３４】
上記無線タグ回路素子Ｔｏ−ｍ，Ｔｏ−ｐ，Ｔｏ−ａにそれぞれ記憶されたタグＩＤは、それぞれ作業者を識別するための作業者情報（氏名、社員番号等）、作業場所を識別するための作業場所情報（工場名、ライン番号等）、物品を識別するための物品情報（製品名、品番等）と関連付けられてデータベース１３０に記録されており、無線タグ通信装置１００は、無線通信を介し上記無線タグ回路素子Ｔｏ−ｍ，Ｔｏ−ｐ，Ｔｏ−ａより読み出したタグＩＤに基づき、データベース１３０にアクセスして上記作業者情報、作業場所情報、物品情報を取得できるようになっている。
【００３５】
無線タグ通信装置１００は、上記通信アンテナ１１０と、上記表示部１１１と、上記通信アンテナ１１０を介し無線タグＴの無線タグ回路素子Ｔｏへ無線通信によりアクセスすると共に、その無線タグ回路素子Ｔｏから読み出された信号を処理する高周波回路１１２と、時刻情報（本実施形態では無線タグ通信装置１００の電源投入後の起動時刻）を発信する時計部１１３（時計手段）と、上記操作入力部１２０と、上記表示部１１１、高周波回路１１２、時計部１１３、及び操作入力部１２０を含む無線タグ通信装置１００全体の制御を行う制御回路１１５と、この制御回路１１５に接続され、情報を読み書き可能なデータベース１３０（ハードディスク又は大容量メモリ等）とを有する。
【００３６】
なお、上記では無線タグ通信装置１００が装置内部に時計部１１３を有しており、この時計部１１３から時刻情報を取得する構成としたが、これに限られず、例えば装置外部より標準電波を受信して時刻情報を取得するようにしてもよい。
【００３７】
図３は、上記データベース１３０の記憶内容を表す図である。
【００３８】
図３において、データベース１３０には、無線通信を行う作業項目、作業項目ごとの実施条件、及び作業項目ごとの優先度がそれぞれ関連付けられて記録されている。なお、図３では煩雑防止のため、各作業項目ごとの詳細な実施条件及び優先度については図示省略し、実施条件・優先度として設定されている項目例を図示している。上記作業項目は、作業者が無線タグ通信装置１００を用いて無線通信を行うことにより選択的に実行可能な作業の項目であり、本実施形態では、特定の領域にある所定の物品の存在及び数量を定期的に確認するための棚卸し、物品を特定してその存在場所を探すための物品探索、必要な部品が揃っているか又は部品の正誤等を判定するための部品チェック、入庫した物品をチェックするための入庫管理、出庫する物品をチェックするための出庫管理、物品の組立工程の管理を行うための工程管理、及び作業者ごとに無線タグ通信装置１００の各種設定を変更可能なカスタマイズが含まれる。無線タグ通信装置１００は、上記作業項目ごとに予め設定された動作モードを有しており、対応する動作モードにおいて上記作業項目が実施されるようになっている。
【００３９】
上記実施条件には、例えば上記作業項目を実施すべき作業者（あるいは実施権限のある作業者）を表す作業者情報、作業項目を実施すべき場所を表す作業場所情報、作業項目を行うべき時間に関わる作業時間情報が含まれる。上記作業時間情報には、各作業項目を実行する日程、時刻、曜日、その作業項目が定期的作業である場合にはその定期日時（例えば毎朝、毎夕、毎時等）、前回の作業実施時からの経過時間、製品到着時間（入庫時）・出荷時間（出荷時）等が含まれる。
【００４０】
また、上記優先度の項目には、各作業項目の実施期限からの経過時間（例えば経過時間が長いほど優先度高）、実施期限までの残余時間（例えば残余時間が短いほど優先度高）、作業項目の緊急度（例えば監査直前の物品に関わる作業項目の優先度高）、物品価格（例えば価格が高いほど優先度高）、物品危険度（例えば劇薬等の危険物であれば優先度高）等が含まれる。図３では図示省略しているが、各作業項目ごとに上記優先度項目における優先度（例えば順番を表す数字）が定められており、後述の実施作業項目リストの並べ替えの際には、この優先度に応じて各作業項目の順番の並べ替えが行われるようになっている。
【００４１】
なお、上述した作業項目、実施条件、及び優先度に関わる情報は一例であり、上記に限定されるものではなく、その他の情報を含むようにしてもよい。
【００４２】
図４は、上記高周波回路１１２の詳細構成を表す機能ブロック図である。
【００４３】
この図４において、高周波回路１１２は、上記通信アンテナ１１０を介し上記無線タグ回路素子ＴｏのＩＣ回路部１５０の情報へアクセスするものであり、また無線タグ通信装置１００の制御回路１１５は無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００４４】
高周波回路１１２は、通信アンテナ１１０を介し無線タグ回路素子Ｔｏに対して信号を送信する送信部１４２と、通信アンテナ１１０により受信された無線タグ回路素子Ｔｏからの応答波を入力する受信部１４３と、送受分離器１４４とから構成される。
【００４５】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１１５の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路１１５から供給される信号に基づいて上記発生させられた搬送波を変調（この例では制御回路１１５からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路１１５からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介し通信アンテナ１１０に伝達されて無線タグ回路素子ＴｏのＩＣ回路部１５０に供給される。なお、質問波は上記のように変調した信号（変調波）に限られず、単なる搬送波のみの場合もある。
【００４６】
受信部１４３は、通信アンテナ１１０で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記通信アンテナ１１０で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１１５に入力されて処理される。
【００４７】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路１１５に入力される。これにより、無線タグ通信装置１００では、無線タグ回路素子Ｔｏとの通信時における当該無線タグ回路素子Ｔｏからの信号の受信強度を検出することが可能となっている。
【００４８】
図５は、上記無線タグＴに備えられた無線タグ回路素子Ｔｏの機能的構成の一例を表す機能ブロック図である。
【００４９】
この図５において、無線タグ回路素子Ｔｏは、上述したように無線タグ通信装置１００の通信アンテナ１１０と非接触で信号の送受信を行う上記タグアンテナ１５１と、このタグアンテナ１５１に接続された上記ＩＣ回路部１５０とを有している。
【００５０】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５１】
変復調部１５６は、タグアンテナ１５１により受信された上記無線タグ通信装置１００の通信アンテナ１１０からの質問波の復調を行い、また、上記制御部１５７からの返信信号を変調し、タグアンテナ１５１より応答波（タグＩＤを含む信号）として送信する。
【００５２】
クロック抽出部１５４は受信した信号からクロック成分を抽出し、当該クロック成分の周波数に対応したクロックを制御部１５７に供給する。
【００５３】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５４】
図６は、無線タグ通信装置１００の制御回路１１５によって実行される制御手順を表すフローチャートである。なお、制御回路１１５は、作業者が上記電源ボタン１２１を操作して電源が投入され無線タグ通信装置１００が作動（起動）した際に、本フローを開始するようになっている。
【００５５】
ステップＳ５では、制御回路１１５は、無線タグ通信装置１００の各種設定（前回選択された作業項目等）を初期化する初期化処理を行う。
【００５６】
ステップＳ１００では、制御回路１１５は、無線タグ通信装置１００の作動時における作動時情報を取得する作動時情報取得処理を実行する（詳細手順は後述の図７参照）。上記作動時情報は、上記時計部１１３から取得する無線タグ通信装置１００の起動時刻と、上記無線タグ回路素子Ｔｏ−ｍ，Ｔｏ−ｐのＩＣ回路部１５０にそれぞれ記憶された上記作業者情報及び作業場所情報とを指すものである。
【００５７】
ステップＳ１０では、制御回路１１５は、データベース１３０より、作業項目とこれに関連付けられた実施条件及び優先度情報を、全作業項目について読み出す。
【００５８】
ステップＳ１５では、制御回路１１５は、上記読み出した複数の作業項目のうちの１つの作業項目を選択する。
【００５９】
ステップＳ２０では、制御回路１１５は、上記ステップＳ１００で取得した作動時情報（起動時刻、作業者情報、作業場所情報）が、上記選択した作業項目の実施条件（作業時間、作業者情報、作業場所情報を含む。図３参照）に合致するか否かを判定する。なお、ここでの合致とは、実施条件と作業時情報とが完全に一致する場合を指してもよいし、完全には一致しなくとも、予め定められた所定の一致率を超えている場合を指すようにしてもよい。作動時情報が実施条件に合致しない場合には、判定が満たされずに後述のステップＳ３０に移る。一方、作動時情報が実施条件に合致する場合には、判定が満たされてステップＳ２５に移る。
【００６０】
ステップＳ２５では、制御回路１１５は、上記判定により作動時情報が実施条件に合致した作業項目を、作業者が実施すべき作業項目（以下「実施作業項目」という）の一覧である実施作業項目リスト（例えば制御回路１１５が有するＲＡＭ等に記憶されている）に追加する。
【００６１】
ステップＳ３０では、制御回路１１５は、上記ステップＳ１０でデータベース１３０から読み出した全作業項目について、上記作動時情報と実施条件とが合致するか否かの照合を行ったか否かを判定する。全作業項目について照合を行っていない場合には、判定が満たされずにステップＳ３５に移り、上記ステップＳ１５で選択した作業項目（照合が完了した作業項目）の次の作業項目を選択し、先のステップＳ２０に戻る。このようにして、全ての作業項目について、作動時情報と実施条件とが合致するか否かの照合が完了すると、ステップＳ３０の判定が満たされて、ステップＳ４０に移る。
【００６２】
ステップＳ４０では、制御回路１１５は、上記実施作業項目リストに含まれる複数の実施作業項目について、上記ステップＳ１０でデータベース１３０より読み出した優先度に基づき、優先度の高い順に並び替えを行う。例えば、優先度項目として各作業項目の実施期限からの経過時間が設定されている場合には、その経過時間が長いほど優先度が高くなり、経過時間が長い順に作業項目を並び替える。また、優先度項目として各作業項目の実施期限までの残余時間が設定されている場合には、その残余時間が短いほど優先度が高くなり、残余時間が短い順に作業項目を並び替える。また、優先度項目として各作業項目の緊急度、物品価格、若しくは物品危険度が設定されている場合には、それら緊急度、価格、危険度が高いほど優先度が高くなり、緊急度、価格、若しくは危険度が高い順に作業項目を並び替える。なお、実施作業項目リストに含まれる実施作業項目が１つである場合には、当該並び替えは実施しないようになっている。
【００６３】
ステップＳ４５では、制御回路１１５は、表示部１１１に制御信号を出力し、上記並び替えを行った実施作業項目リストを表示部１１１に表示させる。
【００６４】
ステップＳ５０では、制御回路１１５は、作業者が表示部１１１に表示された実施作業項目リストの中から実際に実施する作業項目を選択したか否かを、操作入力部１２０（詳細には操作入力キー１２２）からの操作入力信号に基づき判定する。作業項目が選択されるまで本ステップを繰り返し、選択されると判定が満たされてステップＳ２００に移る。
【００６５】
ステップＳ２００では、制御回路１１５は、上記作業者が選択した作業項目に応じて無線タグ通信装置１００の上記動作モードを設定する動作モード設定処理を実行する（詳細手順は後述の図８参照）。以上により、本フローを終了する。
【００６６】
なお、上記において、ステップＳ１００が、特許請求の範囲に記載の作動時情報取得手段を構成し、ステップＳ１０、ステップＳ１５、ステップＳ２０、ステップＳ２５、ステップＳ３０、及びステップＳ３５が、作業項目取得手段を構成する。また、ステップＳ５０及びステップＳ２００が、モード設定手段を構成する。
【００６７】
図７は、上記ステップＳ１００の作動時情報取得処理の詳細手順を表すフローチャートである。
【００６８】
ステップＳ１１０では、制御回路１１５は、上記時計部１１３から無線タグ通信装置１００の起動時刻を取得する。
【００６９】
ステップＳ１２０では、作業者が上記開始キー１２３を操作することに対応して、制御回路１１５は、高周波回路１１２に制御信号を出力し、無線タグ回路素子Ｔｏのメモリ部１５５に記録されたデータを読み出すタグ読み取り信号としての所定の変調を行った質問波を、通信アンテナ１１０を介して通信領域内に存在する無線タグＴの無線タグ回路素子Ｔｏ（ここでは無線タグＴｍの無線タグ回路素子Ｔｏ−ｍ及び無線タグＴｐの無線タグ回路素子Ｔｏ−ｐ）に送信する。
【００７０】
ステップＳ１３０では、制御回路１１５は、上記タグ読み取り信号に対応して通信領域内の無線タグ回路素子Ｔｏ（無線タグ回路素子Ｔｏ−ｍ，Ｔｏ−ｐ。図中では人タグ、場所タグと図示）から受信したリプライ信号に基づき、それぞれのタグＩＤを取得できたか否かを判定する。取得できない場合には、判定が満たされずにステップＳ１４０に移り、作業者により処理終了操作がなされたか否かを、上記停止キー１２４からの操作入力信号に基づき判定する。作業者が停止キー１２４を操作することにより処理終了操作がなされた場合には、判定が満たされて本ルーチンを終了する。一方、処理終了操作がなされていない場合には、判定が満たされずに上記ステップＳ１２０に戻る。このようにして無線タグ回路素子Ｔｏ（無線タグ回路素子Ｔｏ−ｍ，Ｔｏ−ｐ）からそれぞれのタグＩＤを取得できた場合には、ステップＳ１３０の判定が満たされて本ルーチンを終了する。このとき、前述したように、制御回路１１５は、上記無線タグ回路素子Ｔｏ−ｍ，Ｔｏ−ｐのタグＩＤに基づき、データベース１３０にアクセスして作業者情報及び作業場所情報を取得するようになっている。
【００７１】
図８は、上記ステップＳ２００の動作モード設定処理の詳細手順を表すフローチャートである。
【００７２】
ステップＳ２１０では、制御回路１１５は、上記ステップＳ５０において「棚卸し」の作業項目が選択されたか否かを判定する。「棚卸し」の作業項目が選択されている場合には、判定が満たされてステップＳ３００に移り、動作モードを棚卸しモードに移行して棚卸し処理を実行する（詳細手順は後述の図９参照）。そして、本ルーチンを終了する。一方、「棚卸し」の作業項目が選択されていない場合には、ステップＳ２１０の判定が満たされずにステップＳ２２０に移る。
【００７３】
ステップＳ２２０では、制御回路１１５は、上記ステップＳ５０において「物品探索」の作業項目が選択されたか否かを判定する。「物品探索」の作業項目が選択されている場合には、判定が満たされてステップＳ４００に移り、動作モードを物品探索モードに移行して物品探索処理を実行する（詳細手順は後述の図１０参照）。そして、本ルーチンを終了する。一方、「物品探索」の作業項目が選択されていない場合には、ステップＳ２２０の判定が満たされずにステップＳ２３０に移る。
【００７４】
ステップＳ２３０では、制御回路１１５は、上記ステップＳ５０において「部品チェック」の作業項目が選択されたか否かを判定する。「部品チェック」の作業項目が選択されている場合には、判定が満たされてステップＳ５００に移り、動作モードを部品チェックモードに移行して部品チェック処理を実行する（詳細手順は後述の図１１参照）。そして、本ルーチンを終了する。一方、「部品チェック」の作業項目が選択されていない場合には、ステップＳ２３０の判定が満たされずにステップＳ２４０に移る。
【００７５】
ステップＳ２４０では、制御回路１１５は、上記ステップＳ５０において「入庫管理」の作業項目が選択されたか否かを判定する。「入庫管理」の作業項目が選択されている場合には、判定が満たされてステップＳ６００に移り、動作モードを入庫管理モードに移行して入庫管理処理を実行する（詳細手順は後述の図１２参照）。そして、本ルーチンを終了する。一方、「入庫管理」の作業項目が選択されていない場合には、ステップＳ２４０の判定が満たされずにステップＳ２５０に移る。
【００７６】
ステップＳ２５０では、制御回路１１５は、上記ステップＳ５０において「出庫管理」の作業項目が選択されたか否かを判定する。「出庫管理」の作業項目が選択されている場合には、判定が満たされてステップＳ７００に移り、動作モードを出庫管理モードに移行して出庫管理処理を実行する（詳細手順は後述の図１２参照）。そして、本ルーチンを終了する。一方、「出庫管理」の作業項目が選択されていない場合には、ステップＳ２５０の判定が満たされずにステップＳ２６０に移る。
【００７７】
ステップＳ２６０では、制御回路１１５は、上記ステップＳ５０において「工程管理」の作業項目が選択されたか否かを判定する。「工程管理」の作業項目が選択されている場合には、判定が満たされてステップＳ８００に移り、動作モードを工程管理モードに移行して工程管理処理を実行する（詳細手順は後述の図１３参照）。そして、本ルーチンを終了する。一方、「工程管理」の作業項目が選択されていない場合には、ステップＳ２６０の判定が満たされずにステップＳ２７０に移る。
【００７８】
ステップＳ２７０では、制御回路１１５は、上記ステップＳ５０において「カスタマイズ」の作業項目が選択されたか否かを判定する。「カスタマイズ」の作業項目が選択されている場合には、判定が満たされてステップＳ２８０に移り、動作モードをカスタマイズモードに移行し、各作業者が無線タグ通信装置１００の各種設定を変更するためのカスタマイズ処理を実行する。そして、本ルーチンを終了する。一方、「カスタマイズ」の作業項目が選択されていない場合には、ステップＳ２７０の判定が満たされず、本ルーチンを終了する。
【００７９】
図９は、上記ステップＳ３００の棚卸し処理の詳細手順を表すフローチャートである。
【００８０】
ステップＳ３１０では、制御回路１１５は、データベース１３０より、棚卸し対象である複数の物品にそれぞれ対応する複数のタグＩＤ（棚卸し対象である複数の物品にそれぞれ設けられた無線タグＴａの無線タグ回路素子Ｔｏ−ａに記憶されたタグＩＤ）からなる棚卸しリストを読み出す。この棚卸しリストは、予めデータベース１３０に登録されている。
【００８１】
ステップＳ３２０では、制御回路１１５は、作業者により棚卸し処理の開始操作がなされたか否かを、上記開始キー１２３からの操作入力信号に基づき判定する。処理開始操作がなされるまで本ステップを繰り返し、処理開始操作がなされると判定が満たされて次のステップＳ３３０に移る。
【００８２】
ステップＳ３３０では、制御回路１１５は、高周波回路１１２に制御信号を出力し、無線タグ回路素子Ｔｏのメモリ部１５５に記録されたデータを読み出すタグ読み取り信号としての所定の変調を行った質問波を、通信アンテナ１１０を介して通信領域内に存在する無線タグＴの無線タグ回路素子Ｔｏ（ここでは無線タグＴａの無線タグ回路素子Ｔｏ−ａ）に送信する。
【００８３】
ステップＳ３４０では、制御回路１１５は、上記タグ読み取り信号に対応して通信領域内の無線タグ回路素子Ｔｏ（無線タグ回路素子Ｔｏ−ａ）から受信したリプライ信号に基づき、タグＩＤを取得できたか否かを判定する。タグＩＤを取得できない場合には、判定が満たされずに後述のステップＳ３６０に移る。一方、タグＩＤを取得できた場合には、判定が満たされてステップＳ３５０に移る。
【００８４】
ステップＳ３５０では、制御回路１１５は、上記ステップＳ３１０においてデータベース１３０より読み出した棚卸しリスト中に上記取得したタグＩＤと一致するタグＩＤが存在するか否かを検索し、存在する場合には当該一致したタグＩＤを棚卸しリストから消去する（あるいは棚卸し完了フラグを設定する）。
【００８５】
ステップＳ３６０では、制御回路１１５は、上記ステップＳ３１０においてデータベース１３０より読み出した棚卸しリスト中の全てのタグＩＤについて読み取りが完了した（言い換えれば棚卸しリスト中のタグＩＤが全て消去された）か否かを判定する。棚卸しリスト中の全タグＩＤの読み取りが完了していない場合には、判定が満たされずにステップＳ３７０に移り、作業者により処理終了操作がなされたか否かを、上記停止キー１２４からの操作入力信号に基づき判定する。作業者が停止キー１２４を操作することにより処理終了操作がなされた場合には、判定が満たされて後述のステップＳ３８０に移る。一方、処理終了操作がなされていない場合には、判定が満たされずに上記ステップＳ３３０に戻る。このようにして棚卸しリスト中の全タグＩＤの読み取りが完了した場合には、ステップＳ３６０の判定が満たされてステップＳ３８０に移る。
【００８６】
ステップＳ３８０では、制御回路１１５は、表示部１１１に制御信号を出力し、上記棚卸し結果を表示部１１１に表示させる。すなわち、棚卸しリスト中の全てのタグＩＤが消去されている場合には、物品の種類・数量が適正であるとみなし、対応する表示を行う。一方、棚卸しリスト中の全てのタグＩＤが消去されていない場合には、物品の種類・数量が適正でない（種類が誤っている、又は数量が不足している等）とみなし、対応する表示を行う。
【００８７】
ステップＳ３９０では、制御回路１１５は、データベース１３０にアクセスし、上記棚卸し結果を登録する。以上により本ルーチンを終了する。
【００８８】
上記において、ステップＳ３３０は、特許請求の範囲に記載の対象物情報取得手段を構成する。
【００８９】
図１０は、上記ステップＳ４００の物品探索処理の詳細手順を表すフローチャートである。
【００９０】
ステップＳ４１０では、制御回路１１５は、データベース１３０より、探索対象である物品に対応するタグＩＤ（探索対象である物品に設けられた無線タグＴａの無線タグ回路素子Ｔｏ−ａに記憶されたタグＩＤ）を読み出す。このタグＩＤは、予めデータベース１３０に登録されている。
【００９１】
ステップＳ４２０では、制御回路１１５は、作業者により物品探索処理の開始操作がなされたか否かを、上記開始キー１２３からの操作入力信号に基づき判定する。処理開始操作がなされるまで本ステップを繰り返し、処理開始操作がなされると判定が満たされて次のステップＳ４３０に移る。
【００９２】
ステップＳ４３０では、制御回路１１５は、高周波回路１１２に制御信号を出力し、タグＩＤを指定して無線タグ回路素子Ｔｏのメモリ部１５５に記録されたデータを読み出すタグ読み取り信号としての所定の変調を行った質問波を、通信アンテナ１１０を介して指定したタグＩＤに対応する無線タグＴの無線タグ回路素子Ｔｏ（ここでは無線タグＴａの無線タグ回路素子Ｔｏ−ａ）に送信する。
【００９３】
ステップＳ４４０では、制御回路１１５は、上記タグ読み取り信号に対応して指定したタグＩＤに対応する無線タグ回路素子Ｔｏ（無線タグ回路素子Ｔｏ−ａ）からリプライ信号を受信したか否かを判定する。リプライ信号を受信できない場合には、判定が満たされずにステップＳ４５０に移り、作業者により処理終了操作がなされたか否かを、上記停止キー１２４からの操作入力信号に基づき判定する。作業者が停止キー１２４を操作することにより処理終了操作がなされた場合には、判定が満たされて後述のステップＳ４６０に移る。一方、処理終了操作がなされていない場合には、判定が満たされずに上記ステップＳ４３０に戻る。このようにしてリプライ信号を受信した場合には、ステップＳ４４０の判定が満たされてステップＳ４６０に移る。
【００９４】
ステップＳ４６０では、制御回路１１５は、表示部１１１に制御信号を出力し、上記探索結果を表示部１１１に表示させる。すなわち、指定したタグＩＤに対応する無線タグ回路素子Ｔｏからリプライ信号を受信している場合には、探索対象の物品が発見されたとみなし、対応する表示を行う。一方、指定したタグＩＤに対応する無線タグ回路素子Ｔｏからリプライ信号を受信していない場合には、探索対象の物品が発見されていないとみなし、対応する表示を行う。
【００９５】
ステップＳ４７０では、制御回路１１５は、データベース１３０にアクセスし、上記探索結果を登録する。以上により本ルーチンを終了する。
【００９６】
上記において、ステップＳ４３０は、特許請求の範囲に記載の対象物情報取得手段を構成する。
【００９７】
図１１は、上記ステップＳ５００の部品チェック処理の詳細手順を表すフローチャートである。
【００９８】
ステップＳ５１０では、制御回路１１５は、データベース１３０より、チェック対象である複数の部品にそれぞれ対応する複数のタグＩＤ（チェック対象である複数の部品にそれぞれ設けられた無線タグＴａの無線タグ回路素子Ｔｏ−ａに記憶されたタグＩＤ）からなる部品チェックリストを読み出す。この部品チェックリストは、予めデータベース１３０に登録されている。
【００９９】
ステップＳ５２０では、制御回路１１５は、作業者により部品チェック処理の開始操作がなされたか否かを、上記開始キー１２３からの操作入力信号に基づき判定する。処理開始操作がなされるまで本ステップを繰り返し、処理開始操作がなされると判定が満たされて次のステップＳ５３０に移る。
【０１００】
ステップＳ５３０では、制御回路１１５は、高周波回路１１２に制御信号を出力し、無線タグ回路素子Ｔｏのメモリ部１５５に記録されたデータを読み出すタグ読み取り信号としての所定の変調を行った質問波を、通信アンテナ１１０を介して通信領域内に存在する無線タグＴの無線タグ回路素子Ｔｏ（ここでは無線タグＴａの無線タグ回路素子Ｔｏ−ａ）に送信する。
【０１０１】
ステップＳ５４０では、制御回路１１５は、上記タグ読み取り信号に対応して通信領域内の無線タグ回路素子Ｔｏ（無線タグ回路素子Ｔｏ−ａ）から受信したリプライ信号に基づき、タグＩＤを取得できたか否かを判定する。タグＩＤを取得できない場合には、判定が満たされずにステップＳ５５０に移り、作業者により処理終了操作がなされたか否かを、上記停止キー１２４からの操作入力信号に基づき判定する。作業者が停止キー１２４を操作することにより処理終了操作がなされた場合には、判定が満たされて後述のステップＳ５６０に移る。一方、処理終了操作がなされていない場合には、判定が満たされずに上記ステップＳ５３０に戻る。このようにして通信範囲内の全ての無線タグ回路素子ＴｏからタグＩＤの読み取りが完了した場合には、ステップＳ５４０の判定が満たされてステップＳ５６０に移る。
【０１０２】
ステップＳ５６０では、制御回路１１５は、上記取得したタグＩＤと、ステップＳ５１０で読み出した部品チェックリスト中のタグＩＤとを比較し、取得したタグＩＤに部品チェックリストに含まれるタグＩＤが全て含まれているか否かを照合する。
【０１０３】
ステップＳ５７０では、制御回路１１５は、表示部１１１に制御信号を出力し、上記照合結果を表示部１１１に表示させる。すなわち、取得したタグＩＤに部品チェックリストに含まれるタグＩＤが全て含まれている場合には、必要な部品が全て揃っているとみなし、対応する表示を行う。一方、取得したタグＩＤに部品チェックリストに含まれるタグＩＤが全て含まれていない場合には、必要な部品が全て揃っていないとみなし、対応する表示を行う。
【０１０４】
ステップＳ５８０では、制御回路１１５は、データベース１３０にアクセスし、上記部品チェック結果を登録する。以上により本ルーチンを終了する。
【０１０５】
上記において、ステップＳ５３０は、特許請求の範囲に記載の対象物情報取得手段を構成する。
【０１０６】
図１２は、上記ステップＳ６００の入庫管理処理の詳細手順を表すフローチャートである。
【０１０７】
ステップＳ６１０では、制御回路１１５は、データベース１３０より、入庫対象である複数の物品にそれぞれ対応する複数のタグＩＤ（入庫対象である複数の物品にそれぞれ設けられた無線タグＴａの無線タグ回路素子Ｔｏ−ａに記憶されたタグＩＤ）からなる入庫リストを読み出す。この入庫リストは、予めデータベース１３０に登録されている。
【０１０８】
ステップＳ６２０では、制御回路１１５は、作業者により入庫管理処理の開始操作がなされたか否かを、上記開始キー１２３からの操作入力信号に基づき判定する。処理開始操作がなされるまで本ステップを繰り返し、処理開始操作がなされると判定が満たされて次のステップＳ６３０に移る。
【０１０９】
ステップＳ６３０では、制御回路１１５は、高周波回路１１２に制御信号を出力し、無線タグ回路素子Ｔｏのメモリ部１５５に記録されたデータを読み出すタグ読み取り信号としての所定の変調を行った質問波を、通信アンテナ１１０を介して通信領域内に存在する無線タグＴの無線タグ回路素子Ｔｏ（ここでは無線タグＴａの無線タグ回路素子Ｔｏ−ａ）に送信する。
【０１１０】
ステップＳ６４０では、制御回路１１５は、上記タグ読み取り信号に対応して通信領域内の無線タグ回路素子Ｔｏ（無線タグ回路素子Ｔｏ−ａ）から受信したリプライ信号に基づき、タグＩＤを取得できたか否かを判定する。タグＩＤを取得できない場合には、判定が満たされずに後述のステップＳ６６０に移る。一方、タグＩＤを取得できた場合には、判定が満たされてステップＳ６５０に移る。
【０１１１】
ステップＳ６５０では、制御回路１１５は、上記ステップＳ６１０においてデータベース１３０より読み出した入庫リスト中に上記取得したタグＩＤと一致するタグＩＤが存在するか否かを検索し、存在する場合には当該一致したタグＩＤを入庫リストから消去する（あるいは入庫完了フラグを設定する）。
【０１１２】
ステップＳ６６０では、制御回路１１５は、上記ステップＳ６１０においてデータベース１３０より読み出した入庫リスト中の全てのタグＩＤについて読み取りが完了した（言い換えれば入庫リスト中のタグＩＤが全て消去された）か否かを判定する。入庫リスト中の全タグＩＤの読み取りが完了していない場合には、判定が満たされずにステップＳ６７０に移り、作業者により処理終了操作がなされたか否かを、上記停止キー１２４からの操作入力信号に基づき判定する。作業者が停止キー１２４を操作することにより処理終了操作がなされた場合には、判定が満たされて後述のステップＳ６８０に移る。一方、処理終了操作がなされていない場合には、判定が満たされずに上記ステップＳ６３０に戻る。このようにして入庫リスト中の全タグＩＤの読み取りが完了した場合には、ステップＳ６６０の判定が満たされてステップＳ６８０に移る。
【０１１３】
ステップＳ６８０では、制御回路１１５は、表示部１１１に制御信号を出力し、上記入庫管理結果を表示部１１１に表示させる。すなわち、入庫リスト中の全てのタグＩＤが消去されている場合には、入庫物品の種類・数量が適正であるとみなし、対応する表示を行う。一方、入庫リスト中の全てのタグＩＤが消去されていない場合には、入庫物品の種類・数量が適正でない（種類が誤っている、又は数量が不足している等）とみなし、対応する表示を行う。
【０１１４】
ステップＳ６９０では、制御回路１１５は、データベース１３０にアクセスし、上記入庫管理結果を登録する。以上により本ルーチンを終了する。
【０１１５】
上記において、ステップＳ６３０は、特許請求の範囲に記載の対象物情報取得手段を構成する。
【０１１６】
上記ステップＳ７００の出庫管理処理は、上述したステップＳ６００の入庫管理処理と同様の手順であるので、説明を省略する。
【０１１７】
図１３は、上記ステップＳ８００の工程管理処理の詳細手順を表すフローチャートである。
【０１１８】
ステップＳ８１０では、制御回路１１５は、作業者により工程管理処理の開始操作がなされたか否かを、上記開始キー１２３からの操作入力信号に基づき判定する。処理開始操作がなされるまで本ステップを繰り返し、処理開始操作がなされると判定が満たされて次のステップＳ８２０に移る。
【０１１９】
ステップＳ８２０では、制御回路１１５は、高周波回路１１２に制御信号を出力し、無線タグ回路素子Ｔｏのメモリ部１５５に記録されたデータを読み出すタグ読み取り信号としての所定の変調を行った質問波を、通信アンテナ１１０を介して通信領域内に存在する無線タグＴの無線タグ回路素子Ｔｏ（ここでは無線タグＴｍの無線タグ回路素子Ｔｏ−ｍ及び無線タグＴａの無線タグ回路素子Ｔｏ−ａ。図中では人タグ、物品タグと図示）に送信する。
【０１２０】
ステップＳ８３０では、制御回路１１５は、上記タグ読み取り信号に対応して通信領域内の無線タグ回路素子Ｔｏ（無線タグ回路素子Ｔｏ−ｍ，Ｔｏ−ａ）から受信したリプライ信号に基づき、それぞれのタグＩＤを取得できたか否かを判定する。取得できない場合には、判定が満たされずにステップＳ８４０に移り、作業者により処理終了操作がなされたか否かを、上記停止キー１２４からの操作入力信号に基づき判定する。作業者が停止キー１２４を操作することにより処理終了操作がなされた場合には、判定が満たされて後述のステップＳ８６０に移る。一方、処理終了操作がなされていない場合には、判定が満たされずに上記ステップＳ８２０に戻る。このようにして無線タグ回路素子Ｔｏ（無線タグ回路素子Ｔｏ−ｍ，Ｔｏ−ａ）からそれぞれのタグＩＤを取得できた場合には、ステップＳ８３０の判定が満たされてステップＳ８５０に移る。このとき、前述したように、制御回路１１５は、上記無線タグ回路素子Ｔｏ−ｍ，Ｔｏ−ａのタグＩＤに基づき、データベース１３０にアクセスして作業者情報及び物品情報を取得するようになっている。
【０１２１】
ステップＳ８５０では、制御回路１１５は、上記時計部１１３から時刻情報を取得する。
【０１２２】
ステップＳ８６０では、制御回路１１５は、表示部１１１に制御信号を出力し、上記取得した作業者情報、物品情報、及び時刻を表示部１１１に表示させる。
【０１２３】
ステップＳ８７０では、制御回路１１５は、データベース１３０にアクセスし、上記無線タグ回路素子Ｔｏ（無線タグ回路素子Ｔｏ−ｍ，Ｔｏ−ａ）からそれぞれ取得したタグＩＤを、取得した時刻と関連付けて登録する。以上により本ルーチンを終了する。
【０１２４】
上記において、ステップＳ８２０は、特許請求の範囲に記載の対象物情報取得手段を構成する。
【０１２５】
以上説明した実施形態の無線タグ通信装置１００は、複数の作業項目を選択的に実施する作業者が、各作業に対し共通に使用できるものである。すなわち、作業者が無線タグ通信装置１００の電源をＯＮとし作動させると、そのときの作動時情報が取得される。このとき、データベース１３０に、各作業項目とその実施条件が予め記録されており、上記取得された作動時情報に対して実施条件が合致した作業項目が自動的に取得される。そして、この取得された作業項目が、表示部１１１に表示される。
【０１２６】
このようにして、作業者が無線タグ通信装置１００を作動させるだけで、実施すべき作業項目が表示部１１１に表示される。これにより、複数の作業を実施可能な無線タグ通信装置１００を使用する場合であっても、作業者は自分が実施すべき作業項目をその都度思い出して手動操作で指定する煩わしさがなくなり、労力負担を低減できる。また、作業項目が表示されることによって、実施すべき作業を作業者がうっかり失念すること（作業忘れ）を確実に防止することができる。
【０１２７】
また、本実施形態では特に、無線タグ通信装置１００の作動時に、作動時情報として、電源投入後の起動時刻を時計部１１３より取得する。これにより、実施すべき時刻が電源投入時刻に近い作業項目を、表示部１１１で表示することができる。したがって、毎日決まった時刻に行う作業、毎月決まった日時に行う作業等、作業項目の時間依存性が強い場合に、特に便利である。
【０１２８】
また、本実施形態では特に、無線タグ通信装置１００の作動時に、作動時情報として、上記起動時刻に加え、作業者に関連付けられた無線タグ回路素子Ｔｏ−ｍのＩＣ回路部１５０に記憶されたタグＩＤに基づく作業者情報、及び、所定の場所に関連付けられた無線タグ回路素子Ｔｏ−ｐのＩＣ回路部１５０に記憶されたタグＩＤに基づく作業場所情報を取得する。これにより、実施すべき人物（あるいは実施権限のある人物）が作業者情報と合致すると共に、実施すべき場所が作業場所情報と合致する作業項目を、表示部１１１で表示することができる。したがって、いつも決まった人物が行う作業、いつも決まった場所で行う作業等、作業項目の人物依存性（人物限定）・場所依存性（場所限定）が強い場合に、特に便利である。
【０１２９】
また、本実施形態では特に、無線タグ通信装置１００の表示部１１１は、複数の実施作業項目のそれぞれの優先度に応じて並び替えた順番で、表示を行う。これにより、特に作業者に対し強調して報知したいものについては優先度を高く設定しておくことで、確実に作業者に認識させることができる。
【０１３０】
また、本実施形態では特に、無線タグ通信装置１００が作業項目ごとに予め設定された複数の動作モードの中から選択的に動作モードを設定可能な構成となっている。これにより、複数の作業を選択的に実施する作業者が各作業に対し共通に１つの無線タグ通信装置１００を使用する場合であっても、各作業項目に対応した動作モードに沿って適正な態様で動作させて、物品に設けられた無線タグＴａの無線タグ回路素子Ｔｏ−ａから情報読み取りを行うことができる。
【０１３１】
また、本実施形態では特に、表示部１１１で表示した実施作業項目リストに応じ、作業者が操作入力部１２０を用いて行った選択確認操作に基づき無線タグ通信装置１００の動作モードを設定する。これにより、実施条件との合致性に基づき実施すべき作業項目が複数ある場合には、それらの中から作業者にどの作業項目を行うかを選ばせて確実に当該作業に対応した動作モードを実行することができる。また、実施すべき作業項目が１つの場合でも、当該項目を行うことを作業者に確実に認識させることができる。
【０１３２】
なお、本発明は、上記実施形態に限られるものではなく、その趣旨及び技術的思想を逸脱しない範囲内で種々の変形が可能である。以下、そのような変形例を順を追って説明する。
【０１３３】
（１）データベースがサーバに設けられている場合
上記実施形態では、無線タグ通信装置１００がデータベースを有する構成としたが、これに限られず、サーバがデータベースを有する構成としてもよい。
【０１３４】
図１４は、本変形例における無線タグ通信装置１００を有する作業管理システムＷＳの全体構成を表すシステム構成図である。
【０１３５】
図１４において、作業管理システムＷＳは、上記実施形態と同等の構成である無線タグ通信装置１００と、この無線タグ通信装置１００と無線ＬＡＮ等の無線通信によりアンテナ２０１を介して情報の送受信が可能な基地局２０２と、この基地局２０２と通信回線ＮＷを介し接続されたサーバ３００とを有している。サーバ３００は、上記実施形態のデータベース１３０と同様に、無線通信を行う作業項目、作業項目ごとの実施条件、及び作業項目ごとの優先度がそれぞれ関連付けられて記録されているデータベース３１０と、このデータベース３１０に対し情報を読み書き可能な制御回路３２０とを有している。上記制御回路３２０は、通信回線ＮＷ、基地局２０２、アンテナ２０１を介し、無線ＬＡＮによる通信により無線タグ通信装置１００の制御回路１１５と情報の送受信が可能である。
【０１３６】
図１５は、無線タグ通信装置１００の機能構成を表す機能ブロック図である。
【０１３７】
図１５において、無線タグ通信装置１００は、基地局２０２と無線ＬＡＮによる通信を行うための無線ＬＡＮ通信部１１６を有している。その他の構成は、前述の図２と同様であるので説明を省略する。
【０１３８】
図１６は、本変形例において、無線タグ通信装置１００の制御回路１１５によって実行される制御手順を表すフローチャートであり、前述の図６に対応する図である。図６と同様の手順には同符号を付し説明を省略する。
【０１３９】
ステップＳ５及びステップＳ１００は前述の図６と同様であり、制御回路１１５は、無線タグ通信装置１００の各種設定を初期化する初期化処理を行うと共に、無線タグ通信装置１００の作動時における作動時情報を取得する作動時情報取得処理を実行する（前述の図７参照）。
【０１４０】
ステップＳ１３では、制御回路１１５は、上記取得した作動時情報を、無線ＬＡＮ通信部１１６、アンテナ２０１、基地局２０２、通信回線ＮＷを介し、サーバ３００（の制御回路３２０）に送信する。
【０１４１】
ステップＳ２３では、制御回路１１５は、サーバ３００（の制御回路３２０）より、通信回線ＮＷ、基地局２０２、アンテナ２０１、及び無線ＬＡＮ通信部１１６を介し、上記実施作業項目リストを受信したか否かを判定する。実施作業項目リストを受信するまで本ステップを繰り返し、受信した場合には判定が満たされてステップＳ４５に移る。
【０１４２】
ステップＳ４５〜ステップＳ２００は前述の図６と同様であり、制御回路１１５は、表示部１１１に制御信号を出力し、上記サーバ３００より受信した実施作業項目リストを表示部１１１に表示させ、作業者が作業項目リストの中から実際に実施する作業項目を選択すると、その選択された作業項目に応じて無線タグ通信装置１００の上記動作モードを設定する動作モード設定処理を実行する（前述の図８参照）。以上により、本フローを終了する。
【０１４３】
上記において、ステップＳ１３は、特許請求の範囲に記載の作動時情報出力手段を構成し、ステップＳ２３は、作業項目取得手段を構成する。
【０１４４】
図１７は、サーバ３００の制御回路３２０によって実行される制御手順を表すフローチャートである。
【０１４５】
ステップＳ９１０では、制御回路３２０は、上記無線タグ通信装置１００（の制御回路１１５）より、アンテナ２０１、基地局２０２、通信回線ＮＷを介し、作動時情報を受信したか否かを判定する。無線タグ通信装置１００より作動時情報を受信するまで本ステップを繰り返し、受信した場合には判定が満たされてステップＳ９２０に移る。
【０１４６】
ステップＳ９２０〜ステップＳ９８０は、前述の図６のステップＳ１０〜ステップＳ４０と同様であり、制御回路３２０は、データベース３１０より、作業項目とこれに関連付けられた実施条件及び優先度情報を、全作業項目について読み出し、この読み出した複数の作業項目の中から選択した１つの作業項目の実施条件（作業時間、作業者情報、作業場所情報を含む。図３参照）が、上記ステップＳ９１０で無線タグ通信装置１００より受信した作動時情報（起動時刻、作業者情報、作業場所情報）に合致するか否かを判定する。作動時情報が実施条件に合致する場合には、当該合致した作業項目を実施作業項目リスト（例えば制御回路３２０が有するＲＡＭ等に記憶されている）に追加する。そして、データベース３１０から読み出した全作業項目について、作動時情報と実施条件とが合致するか否かの照合が完了すると、上記実施作業項目リストに含まれる複数の実施作業項目について、データベース３１０より読み出した優先度に基づき、優先度の高い順に並び替えを行う。
【０１４７】
ステップＳ９９０では、制御回路３２０は、上記並び替えを行った実施作業項目リストを、通信回線ＮＷ、基地局２０２、及びアンテナ２０１を介し、無線タグ通信装置１００（の制御回路１１５）に送信する。以上により本フローを終了する。
【０１４８】
上記において、ステップＳ９２０〜ステップＳ９７０は、特許請求の範囲に記載の作業項目抽出手段を構成し、ステップＳ９９０は、作業項目出力手段を構成する。
【０１４９】
本変形例においても、上記実施形態と同様の効果を得ることができる。
【０１５０】
（２）実施作業項目の選択を自動的に行う場合
上記実施形態では、実施作業項目の選択を、作業者が操作入力部１２０を用いて手動で行うようにしたが、これに限られず、制御回路１１５が優先度の高い作業項目に対応して自動的に選択するようにしてもよい。
【０１５１】
図１８は、本変形例において、無線タグ通信装置１００の制御回路１１５によって実行される制御手順を表すフローチャートであり、前述の図６に対応する図である。図６と同様の手順には同符号を付し説明を省略する。
【０１５２】
図１８において、前述の図６と異なる点は、ステップＳ４０において、制御回路１１５が、実施作業項目リストに含まれる複数の実施作業項目を優先度の高い順に並び替えを行った後、表示部１１１による表示を行わずに、ステップＳ５３において、実際に実施する作業項目を優先度に基づき自動的に選択する点である。このとき、制御回路１１５は、優先度の高い順に並び替えを行った実施作業項目リストの中から一番優先度の高い作業項目を選択するようになっている。そして、ステップＳ２００では、上記制御回路１１５が自動選択した作業項目に応じて無線タグ通信装置１００の上記動作モードを設定する動作モード設定処理を実行する（前述の図８参照）。
【０１５３】
上記において、ステップＳ５３及びステップＳ２００は、特許請求の範囲に記載の動作モードを自動設定するモード設定手段を構成する。
【０１５４】
以上説明した変形例によれば、作業者が作業項目を選択しなくても自動的に動作モードが設定されるので、作業者の操作負担を低減することができる。また、作業項目を選択するための操作入力キー１２２等が不要となるので、無線タグ通信装置１００の操作入力部１２０の構成を簡略化することもできる。
【０１５５】
（３）その他
以上では、作動時情報として、無線タグ通信装置１００の起動時刻、作業者情報、及び作業場所情報を取得するようにしたが、必ずしもこれら全てを取得する必要はない。例えば、無線タグ通信装置１００の起動時刻のみ取得するようにしてもよい。この場合、起動時刻が実施条件中の作業時間情報と合致する作業項目を実施作業項目とすればよい。また、起動時刻と、作業者情報及び作業場所情報のうちの少なくとも一方を取得するようにしてもよい。
【０１５６】
また以上では、表示部１１１で、優先度情報に応じて並び替えした実施作業項目リストを表示するようにしたが、このような順番の並び替えに限らず、優先度に応じて色やフォント、テキストの太さを変更する等、その他の優先度に応じた表示態様としてもよい。
【０１５７】
なお、以上において、図２、図４、図５等の各図中に示す矢印は信号の流れの一例を示すものであり、信号の流れ方向を限定するものではない。
【０１５８】
また、図６、図７、図８等に示すフローチャートは本発明を上記フローに示す手順に限定するものではなく、発明の趣旨及び技術的思想を逸脱しない範囲内で手順の追加・削除又は順番の変更等をしてもよい。
【０１５９】
また、以上既に述べた以外にも、上記実施形態や各変形例による手法を適宜組み合わせて利用しても良い。
【０１６０】
その他、一々例示はしないが、本発明は、その趣旨を逸脱しない範囲内において、種々の変更が加えられて実施されるものである。
【図面の簡単な説明】
【０１６１】
【図１】本実施形態の無線タグ通信装置の開閉カバーを閉じた状態及び開閉カバーを開いた状態における全体的な外観を表す外観図である。
【図２】無線タグ通信装置の機能構成を表す機能ブロック図である。
【図３】データベースの記憶内容を表す図である。
【図４】高周波回路の詳細構成を表す機能ブロック図である。
【図５】無線タグに備えられた無線タグ回路素子の機能的構成の一例を表す機能ブロック図である。
【図６】無線タグ通信装置の制御回路によって実行される制御手順を表すフローチャートである。
【図７】ステップＳ１００の作動時情報取得処理の詳細手順を表すフローチャートである。
【図８】ステップＳ２００の動作モード設定処理の詳細手順を表すフローチャートである。
【図９】ステップＳ３００の棚卸し処理の詳細手順を表すフローチャートである。
【図１０】ステップＳ４００の物品探索処理の詳細手順を表すフローチャートである。
【図１１】ステップＳ５００の部品チェック処理の詳細手順を表すフローチャートである。
【図１２】ステップＳ６００の入庫管理処理の詳細手順を表すフローチャートである。
【図１３】ステップＳ８００の工程管理処理の詳細手順を表すフローチャートである。
【図１４】データベースがサーバに設けられている変形例において、無線タグ通信装置を有する作業管理システムの全体構成を表すシステム構成図である。
【図１５】データベースがサーバに設けられている変形例において、無線タグ通信装置の機能構成を表す機能ブロック図である。
【図１６】データベースがサーバに設けられている変形例において、無線タグ通信装置の制御回路によって実行される制御手順を表すフローチャートである。
【図１７】サーバの制御回路によって実行される制御手順を表すフローチャートである。
【図１８】実施作業項目の選択を自動的に行う変形例において、無線タグ通信装置の制御回路によって実行される制御手順を表すフローチャートである。
【符号の説明】
【０１６２】
１００            無線タグ通信装置
１１０            通信アンテナ
１１１            表示部（表示手段）
１１３            時計部（時計手段）
１３０            データベース
１５０            ＩＣ回路部
１５１            タグアンテナ
３００            サーバ
３１０            データベース
Ｔｏ              無線タグ回路素子
Ｔｏ−ａ          無線タグ回路素子（対象物用無線タグ回路素子）
Ｔｏ−ｍ          無線タグ回路素子（操作者用無線タグ回路素子）
Ｔｏ−ｐ          無線タグ回路素子（場所用無線タグ回路素子）
ＷＳ              作業管理システム
【図１】
2010086249.tif 000003
【図２】
2010086249.tif 000004
【図３】
2010086249.tif 000005
【図４】
2010086249.tif 000006
【図５】
2010086249.tif 000007
【図６】
2010086249.tif 000008
【図７】
2010086249.tif 000009
【図８】
2010086249.tif 000010
【図９】
2010086249.tif 000011
【図１０】
2010086249.tif 000012
【図１１】
2010086249.tif 000013
【図１２】
2010086249.tif 000014
【図１３】
2010086249.tif 000015
【図１４】
2010086249.tif 000016
【図１５】
2010086249.tif 000017
【図１６】
2010086249.tif 000018
【図１７】
2010086249.tif 000019
【図１８】
2010086249.tif 000020